(57)【特許請求の範囲】
【請求項１】
両袖がジャケット本体に対してファスナーにより着脱可能な分離構造であり、両袖が背面部により連結され、前記ファスナーは、ジャケットの背面において略半円形状又は上部を円弧とした略台形となるように設けられていることを特徴とするジャケット。
【請求項２】
両袖がジャケット本体に対してファスナーにより着脱可能な分離構造であり、両袖が背面部により連結され、
前記ファスナーは、ジャケット本体の右袖のアームホール部分の周上であって肩の頂部からジャケット本体の前面にかけて設けられ、脇の下部分を通って背面に至り、背面に至ってから首の下部分にかけて湾曲して延び、更に、前記背面部の下縁となる首の下部分を頂点として湾曲して下がり、左袖のアームホール部分の脇の下部分を通ってジャケット本体の前面に至り、そのままアームホール部分の周上に沿って肩の頂部に至ることを特徴とするジャケット。
【請求項３】
前記背面部とジャケット本体との間に収納され且つ一端がジャケット本体に取り付けられたバンドを有することを特徴とする請求項１又は２いずれか一つに記載のジャケット。
【発明の詳細な説明】
【技術分野】
【０００１】
本発明は、使用目的や状況に応じて袖を着脱できるジャケットに関するものである。
【背景技術】
【０００２】
従来から袖を着脱できる上着として、特許文献１に開示されているようなジャケットが知られている。このジャケットは、ジャケット本体のアームホール部分に対してファスナー等により着脱可能に取り付けられた一対の袖部を備えた構造である。
【先行技術文献】
【特許文献】
【０００３】
【特許文献１】特開２００６−３４８４５８号公報
【発明の概要】
【発明が解決しようとする課題】
【０００４】
しかしながら、上記従来のジャケットでは、左右の袖をジャケット本体から別々に取り外すことができるため、左右の袖を一緒に管理しなければならない問題点があった。また、左右の袖を別々に取り外すのは手間がかかるという問題点があった。
【課題を解決するための手段】
【０００５】
そこで、本発明のジャケットは、両袖がジャケット本体に対してファスナーにより着脱可能な分離構造であり、両袖が背面部により連結されていることを特徴とする。
【０００６】
また、本発明のジャケットは、両袖がジャケット本体に対してファスナーにより着脱可能な分離構造であり、両袖が背面部により連結され、前記ファスナーは、ジャケットの背面において略半円形状又は上部を円弧とした略台形となるように設けられていることを特徴とする。
【０００７】
また、本発明のジャケットは、両袖がジャケット本体に対してファスナーにより着脱可能な分離構造であり、両袖が背面部により連結され、前記ファスナーは、ジャケット本体の右袖のアームホール部分の周上であって肩の頂部からジャケット本体の前面にかけて設けられ、脇の下部分を通って背面に至り、背面に至ってから首の下部分にかけて湾曲して延び、更に、前記背面部の下縁となる首の下部分を頂点として湾曲して下がり、左袖のアームホール部分の脇の下部分を通ってジャケット本体の前面に至り、そのままアームホール部分の周上に沿って肩の頂部に至ることを特徴とする。
【０００８】
また、本発明のジャケットは、両袖がジャケット本体に対してファスナーにより着脱可能な分離構造であり、両袖が背面部により連結され、前記ファスナーは前記背面部の上縁又は下縁の一部を除いて設けられていることを特徴とする。
【０００９】
また、本発明のジャケットは、上記発明において、更に、前記背面部の上縁とジャケット本体とをとめるボタン又は面ファスナーが設けられていることを特徴とする。
【００１０】
また、本発明のジャケットは、上記発明において、前記背面部とジャケット本体との間に収納され且つ一端がジャケット本体に取り付けられたバンドを有することを特徴とする。
【００１１】
また、本発明のジャケットは、上記発明において、前記ファスナーは、背面部の中央付近で分割された構造であることを特徴とする。
【図面の簡単な説明】
【００１２】
【図１】この発明の実施の形態にかかるジャケットを示す全体構成図である。
【図２】図１に示したジャケットの袖を取り外した状態を示す説明図である。
【図３】ジャケット本体１と袖との着脱構造を示す正面図である。
【図４】ジャケット本体１と袖との着脱構造を示す背面図である。
【図５】ジャケットの両袖の底面図である。
【図６】ジャケットの使用例を示す説明図である。
【図７】図１に示したジャケットの変形例を示す説明図である。
【図８】図１に示したジャケットの変形例を示す説明図である。
【発明を実施するための形態】
【００１３】
図１は、この発明の実施の形態にかかるジャケットを示す全体構成図である。図２は、図１に示したジャケットの袖を取り外した状態を示す説明図である。図３は、ジャケット本体と袖との着脱構造を示す正面図、図４は、ジャケット本体と袖との着脱構造を示す背面図である。図５は、両袖の底面図である。
【００１４】
このジャケット１００は、半袖のジャケット本体１に着脱自在に長袖となる両袖２が装着されており、両袖２は右袖４ｒ、左袖４ｌからなり且つ背面部３により一体に連結されている。背面部３は、図３に示すように、上縁３１が首周りにそった略直線状となり、且つ、下縁３２がアームホール部分５の脇の下５１から円弧状に延びて首の下の部分５２（図４参照）を頂点とした略半円形状又は上部を円弧とした略台形となる。この背面部３の上縁３１近傍には２個のドットボタン７が設けられている。
【００１５】
ジャケット本体１と両袖２との取り付け部分であるアームホール部分５にはプラスチック製又は金属製のファスナー６が設けられている。当該ファスナー６は、ジャケット本体１の右袖４ｒのアームホール部分５の周上であって肩の頂部５３からジャケット本体１の前面にかけて設けられ、脇の下部分５１を通って背面に至り、背面に至ってから背面部３の下縁３２となる首の下部分５２にかけて湾曲して延び、更に、当該首の下部分５２を頂点として湾曲して下がり、左袖４ｌのアームホール部分５の脇の下部分５４を通ってジャケット本体１の前面に至り、そのままアームホール部分５の周上に沿って肩の頂部５５に至るように設けられる。このため、ジャケット１００の背面においてファスナー６は略半円形状又は上部を円弧とした略台形に設けられる。
【００１６】
また、前記ファスナー６は、背面部３の下縁３２の中央付近で一部途切れており、その各終端には下止６１，６２が設けられている。このため、両袖２をジャケット本体１に取り付けた場合、左右２つのファスナー６のスライダー６３，６４が背面部３の略中央で止まるようになる。仮に両袖２をジャケット本体１に装着した場合にスライダー６３，６４が肩の頂部５３，５５にあるとユーザがジャケット１００を着たときにジャケット１００の重量が肩にかかるため、スライダー６３，６４が肩に押しつけられてしまい、違和感を生じることがある。このため、スライダー６３，６４を背面部３の下縁３２の中央付近で止めるようにすることで、当該スライダー６３，６４に起因した違和感をなくすことができる。
【００１７】
ファスナー６を、ジャケット本体１の背面において、略半円形状又は上部を円弧とした略台形としたのは、ジャケット１００を着用して運動した場合に当該ファスナー６が突っ張ることで違和感を生じさせることがないようにするためである。即ち、運動中にジャケット１００の背面が横方向に伸びた場合にも略半円形状又は略台形のファスナー６が直線状に変形して当該ジャケット１００の伸びに追従できるので、ファスナー６による突っ張り感がなくなり、ジャケット装着時の違和感を防止できる。
【００１８】
ジャケット１００の首の下部分５２であって一方のアームホール部分５の肩の頂部５３と他方のアームホールの肩の頂部５５との間３３には、前記ファスナー６が設けられておらず、その代わりに、背面部３の上縁３１の近傍にドットボタン７が２個設けられている。ドットボタン７により両袖２がジャケット本体１に対して仮止めでき、且つ、ドットボタン７による連結のためその周囲に隙間をもたせて両袖２の通気性を高めることができる。また、ジャケット１００の首の下部分５２の伸縮性を確保するには、ドットボタン７の数は２個前後が好ましい。なお、ドットボタン７のほか、ホックボタン等を用いることもできる。
【００１９】
次に、このジャケット１００の使用方法を説明する。両袖２をジャケット１００に装着した状態で当該ジャケット１００は長袖のジャケットとなる。左右のファスナー６の各スライダー６３，６４を移動させてファスナー６を開くと、両袖２がジャケット本体１から離れる。そして、背面部３に設けたドットボタン７を外すことで最終的にジャケット本体１から両袖２が取り外される。取り外した両袖２は、両袖２が背面部３でつながって一体化しているから、左右の袖４ｒ、４ｌがばらばらになることがなく、取り扱い易く且つ管理しやすい。また、全体的に長いものとなるので、図６に示すように、腰に巻きつけることもできる。
【００２０】
また、ファスナー６を外した場合でもドットボタン７を外さなければ両袖２がジャケット本体１から最終的に離れてしまうことがないので、ファスナー６を安心して外すことができる。また、両袖２を落とすことがないので取り扱い易い。
【００２１】
また、図７に示すように、ドットボタン７の代わりに面ファスナー２０を用いてもよい。この面ファスナー２０は、フックが一方のファスナー６の開部６５と、他方のファスナー６の開部６６との間３３に設けられ、面ファスナー２０のループが前記フックに対応する位置（首の下部分５２）に設けられている。また、面ファスナー２０の両側近傍は、ジャケット本体１と両袖２とが連結することなく間隙が生じることから、両袖２の通気性を高めることができる（通気経路を図中矢印で示す）。更に、面ファスナー２０とすることで、ジャケット１００の首の下部分５２の柔軟性を高めることができる。
【００２２】
以上、この発明のジャケット１００によれば、両袖２が背面部３で一体となっているので、従来のように左右の袖の一方が紛失したりすることがなく、取り扱いや管理が容易である。また、ジャケット１００の背面に対してファスナー６を略半円形状又は略台形に設けることにより、ジャケット１００を着て運動しても当該ファスナー６に起因した突っ張り感がない。また、ジャケット１００の首の下部分５２をドットボタン７又は面ファスナー２０で着脱するようにしているので、両袖２内の熱気を外部に放出しやすい。また、ファスナー６により両袖２を着脱する際に、仮止めしておけるので、両袖２の着脱を容易に出来る。
【００２３】
また、ファスナー６は、背面部３の下縁３２の中央付近で分割された構造であるので、両袖２をジャケット１００に装着した状態で、当該ファスナー６のスライダー６３，６４を背面部３の下縁３２の中央付近から左右に少し移動させることで、背面部３の下縁３２を比較的大きく開くことができる。これにより、両袖２の通気性をより高めることができる。この場合、ジャケット本体１の両袖２の背面部３に隠れる部分に開口を設けておくことでジャケット内部の通気性をも確保できる（図示省略）。更に、右袖４ｒ又は左袖４ｌのみをジャケット本体１に取り付けることができる。例えば、右腕を半袖とし、左腕を長袖としたい場合には、左のファスナー６のみで両袖２をジャケット本体１に取り付ければ良い。
【００２４】
更に、図８に示すように、取り外した長袖を丸めてバンド３０で固定しても良い。このバンド３０は、ジャケット本体１の首の下部分５２であって両袖２の背面部３で隠れる部分にその一端部が縫合又はボタンにより取り付けられ、バンド３０の表面が面ファスナーのループ面、バンド３０の裏面がフック面となる。バンド３０は、ジャケット本体１に両袖２を装着している状態では、ジャケット本体１と両袖２との中に収納される。両袖２をジャケット本体１から取り外した場合、両袖２を丸めてこのバンド３０で縛り、バンド３０の裏面と表面とを重ねて固定する。これにより、両袖２をジャケット本体１に固定保管できるので、両袖２を手に持ったり或いはポケットに入れて保管する必要がない。
【００２５】
なお、上記実施の形態のジャケット１００では、ジャケット本体１が半袖のものを例に挙げたが、ジャケット本体１はノースリーブであってもよい。また、上記ドットボタン７又は面ファスナー２０は省略しても良い。また、上記のように前記ファスナー６は２分割ではなく、１本としても良い。また、本発明は、両袖２は右袖４ｒおよび左袖４ｌとを背面部３により連結できれば良く、従って、背面部３が右袖４ｒおよび左袖４ｌに対して着脱可能となっていても良い。
【符号の説明】
【００２６】
１００  ジャケット
１  ジャケット本体
２  両袖
３  背面部
５  アームホール部分
６  ファスナー
７  ドットボタン
【図６】
0005454889.tif 000002
【図１】
0005454889.tif 000003
【図２】
0005454889.tif 000004
【図３】
0005454889.tif 000005
【図４】
0005454889.tif 000006
【図５】
0005454889.tif 000007
【図７】
0005454889.tif 000008
【図８】
0005454889.tif 000009